【手続補正書】
【提出日】平成15年9月9日(2003.9.9)
【手続補正１】
【補正対象書類名】明細書
【補正対象項目名】全文
【補正方法】変更
【補正の内容】
【 発明の名称】ジョイントボックス
【特許請求の範囲】
【請求項１】ジョイントボックスBは、
内部に接続端子９を収納する収納空間４が形成されるように周囲を絶縁性の樹脂材によって筒状に形成し、かつ、両側には夫々収納空間４に向けてケーブル外装７の挿通を可能にする口を備えるボックス本体と、
ボックス本体の両側に一体に備えさせた軟質部２１又は襞部２とから構成されており、
上記軟質部又は襞部の夫々の端部には、夫々ボックス本体における口を通して収納空間４に向けてケーブル外装７の挿通を可能に、上記収納空間４に通じる入口１４を備えさせ、
上記軟質部又は襞部の構成は、
上記ボックス本体の収納空間４に対して、上記ボックス本体の両側に備える軟質部２１又は襞部２の夫々の入口１４を通して両側から挿入された電線のジョイント部分の収納後、軟質部又は襞部の外周を圧縮することにより、収納空間４と入口１４との間の通路を圧縮させて抜け止めできるようにしてあることを特徴とするジョイントボックス。
【請求項２】上記ボックス本体の中間位置の側方には、
内部に接続端子９を収納する収納空間４が形成されるように周囲を絶縁性の樹脂材によって筒状に形成したボックス本体を連設し、その連設したボックス本体の自由端側には、軟質部又は襞部を一体に備えさせ、
その軟質部又は襞部の端部には、収納空間４に向けてケーブル外装７の挿通を可能に、上記収納空間４に通じる入口１４を備えさせ、
上記軟質部又は襞部の構成は、
上記ボックス本体の収納空間４に対して、上記ボックス本体の端部に備える軟質部又は襞部のの入口１４を通して挿入された電線のジョイント部分の収納後、軟質部又は襞部の外周を圧縮することにより、収納空間４と入口１４との間の通路を圧縮させて抜け止めできるようにしてあることを特徴とする請求項１記載のジョイントボックス。
【請求項３】内部に接続端子９を収納する収納空間４が形成されるように周囲を絶縁性の樹脂材によって筒状に形成したボックス本体における周壁の一部は、開閉自在の分割ボックス要素１−Ａで構成したことを特徴とする請求項１又は２記載のジョイントボックス。
【請求項４】上記の軟質部又は襞部においては、ケーブル外装を挿通し、軟質部又は襞部の外周を圧縮することによってもその内側に隙間が生じ、その隙間から空気が流通して収納空間に溜った熱気を徐々に発散させるようにしたことを特徴とする請求項１又は２記載ののジョイントボックス。
【発明の詳細な説明】
【０００１】
【発明の属する技術分野】
本願は電気配線工事における幹線及び支線に用いられるケーブル外装のジョイント部分の絶縁カバーに用いるジョイントボックスに関するものである。
【０００２】
【従来の技術】
電気配線工事における幹線をジョイントした部分の絶縁処理は、主として電線ジョイント部分をケースに収納後、そのケース内に熱可塑性の樹脂を加熱し、粘液を注入、固化する方法が用いられている。ジョイント部分を一旦ケースに納め樹脂粘液を注入後は、その結線部分の修正、追加工事を行うことは不可能であり、その場合はケースの各入口から電線を切断し、短くなった電線をジョイントし、その上で改めて結線し、更新ケースに納め樹脂粘液を注入するという大変な二重手間とその重複経費を要していた。支線のケーブル外装の分岐配線部分の絶縁処理においては、容積の狭いアウトレットボックス又は造営材に取付けた固定台の上で結線し、それにボックスをかぶせた後固定台にボックスを取付け結線部分を押し込む構造のボックスが用いられていた。
【０００３】
【発明が解決しようとする課題】
そこで本願は、ジョイント部分を収納したボツクス内に樹脂粘液の注入をしたり、或いは固定台の取付け、狭いボックスにむりやり押し込む工程を省き、電気的安全性を高めるなど、配線工事の安全とスピード化及び配線コストの低下を目的としたものである。
【０００４】
【課題を解決するための手段】
ジョイントボックスBは、内部に接続端子９を収納する収納空間４が形成されるように周囲を絶縁性の樹脂材によって筒状に形成し、かつ、両側には夫々収納空間４に向けてケーブル外装７の挿通を可能にする口を備えるボックス本体と、ボックス本体の両側に一体に備えさせた軟質部又は襞部とから構成されており、上記軟質部又は襞部の夫々の端部には、夫々ボックス本体における口を通して収納空間４に向けてケーブル外装７の挿通を可能に、上記収納空間４に通じる入口１４を備えさせ、上記軟質部又は襞部の構成は、上記ボックス本体の収納空間４に対して、上記ボックス本体の両側に備える軟質部又は襞部の夫々の入口１４を通して両側から挿入された電線のジョイント部分の収納後、軟質部又は襞部の外周を圧縮することにより、収納空間４と入口１４との間の通路を圧縮させて抜け止めできるようにした。
【０００５】
【発明の実施の形態】
幹線のジョイント部分の絶縁保護処理の実施に当たっては、本願の図面に現れているように収納空間４の周囲におけるボックスの本体部分の肉厚を部厚くして絶縁性及び衝撃に対する抵抗力を強化確実化することにより対応することができ、更に透明にして外部からの目視点検を可能とする。
ボックス本体部分の各入口周囲の部分から一定位置に設けた軟質部２１又は複数の襞部２は伸縮自在となすこともでき、外周の一部を圧縮してケーブル外装を絶縁包皮し又は軟質部に表裏共通の結束孔を並設し、この孔に結束バンド等を通して結束し抜け止めする。収納空間に溜った熱気は、軟質部にできる皺２２又は襞部２が圧縮されて折り重なった間にできる複数の隙間又は軟質部の結束孔に通しその両脇にできる隙間から排出させることにより収納空間４の高温化を防ぐことができ、隙間から結線部分には人体や物体が触れる余裕無く、一旦使用後においても結束を解けばボックスは復元し再使用を可能に構成することを可能にする。
【０００６】
支線の分岐結線に用いる場合いにおいても、上記の幹線と同様の使用効果が得られ、更に本願のボックスを造営材に固定する場合は、軟質部又は襞部の外周又は結束孔等に通す結束バンド等で造営材と共に一括結束し固定することができる。
【０００７】
本願実施例においては、主として難燃性による自消性及び絶縁性、透明性に優れた樹脂材を用いる。特に襞部２又は軟質部２１は、電線ケーブルをやわらかく包皮する軟質材で成型するとともに、収納空間４の周囲のボックス本体部分より一段薄くなし、ボックス自体の形状は、無理なく分岐配線可能なＴ字形、十字形、両端形など、電線のジョイント形状に合わせ、様々の形状に成型することができる。２分割成型したものは、一方に電線ジョイント部分を添わせ、それに他方の分割ボックス要素を組み合わせ一体となして包皮し、襞部又は軟質部の外周を圧縮し又は結束して抜け止める。
両端形の場合は分割成型しても、しなくてもよく、分割しない場合は、結線前に入口から電線端末８をボックス本体に通しておき、結線後電線ジョイント部分をボックスの中央部に位置させ、両端の軟質部２１又は襞部２の外周を圧縮包皮し、固定する。軟質部及び襞部の圧縮部材が安定するよう、軟質部及び襞部に圧縮部材を通す止め孔５又は結束孔２３を並設する。
結線変更、再分岐する場合、結束バンド等の圧縮部材を解除すれば解体し結線個所の修正、増設、再使用可能に復元する。
【０００８】
次に本願の実施例を示す図面について説明する。図１は、図４に示される分割ボックス要素１−Ｂに分割ボックス要素１−Ａを被せ、内部に電線端末８、接続端子９等を収めた使用状態を透視して示す平面図。図２は、図４の入口１４から襞部２の形状を示す一部底面拡大図で、図１におけるケーブル外装７の結束状態及び隙間２０を示す矢印Ｃからの底面拡大図は、図３に示す。図４は、ジョイントボックスにおける分割ボックス要素１−Ａを分離し、ボックス本体部分の内部収納空間４が見える状態にした分割ボックス要素１−Ｂの不透明状態で描いた平面図を示す。図５は、分割ボックス要素１−Ａと分割ボックス要素１−Ｂを組み合わせ、それらの部材を示すもので、図１のＡ−Ａ位置における切断端面拡大図。図６は、図５に示されるものとは異なり、図５に示される分割ボックス要素１−Ａ・１−Ｂの組み合わせ縁部３の一方を図９に示される連結屈曲部１２と同じ連結屈曲部１２で繋ぎ、分割ボックス要素１−Ａを開閉自在にした、収納空間４の切断端面拡大図を示す。
【０００９】
図１における矢印Ｂは、ジョイントボックスであり、絶縁性に優れた樹脂材を用いて形成してある。樹脂材としては図４に示すような透明材を用いた例を示す。３分岐した電線端末のジョイント部分を収納し結束完了した状態を示す。矢印Ｃは結束状態を示す底面であり、ケーブル外装７の外周全体を結束バンド６の圧縮により襞部２が折り重なり、やわらかく絶縁包皮し、複数の隙間２０が形成されている状態を示す。１−Ａ・１−Ｂは分割ボックス要素であり、２分割成型し、その両分割ボックス要素を組み合わせ又は２分割する中央部の組み合わせ縁部３を連結屈曲部１２でつなぎ開閉自在のジョイントボックスとなす。２は襞部であり、ボックスの入口１４の周辺から一定の奥に到り全周に複数の襞を設け、結束バンド６等の圧縮部材で一部外周から圧縮した場合、ケーブル外装７を各襞部２が折り重なって絶縁包皮し抜け止めるとともに、一旦使用後において結線を改修する場合は、圧縮部材を解除すれば襞部２又は軟質部２１は復元しジョイント部分の改修又は取替え、再使用等に供することができる。３は組み合わせ縁部であり、分割ボックス要素１−Ａ・１−Ｂを組み合わせる端面の縁である。
【００１０】
４は収納空間であり、その外周は図５に示されるように筒状の部材で部厚くなし、外部からの衝撃から結線部分９を守れるように絶縁収納する内包部分。５は止め孔であり、襞部２及び軟質部２１のほぼ中央外周に設け、結束バンド６等をこの孔に通し移動を防止する。６は結束バンドであり、ケーブル外装７の数及び太い線細い線など様々に対応し簡単に結束できるバンドで、先端を他端の鉤部に通し引き締めるだけで適当な圧縮が得られる。
図５に示される１０は突起であり、分割ボックス要素１−Ａ・１−Ｂの組み合わせ縁部３にそれぞれ長く成型し、これを止め溝１１に挿入して抜け止め口開を防止し、筒状に一体にしてボックスとなし、その組み合わせを解体する場合は、一端から少し強く引っ張ると抜き離すことができる。１２は連結屈曲部であり、分割ボックス要素１−Ａ・１−Ｂを個別に分離成型することなく図６に示されるように２分割の中央部の組み合わせ縁部３を連結成型し、この部分が屈曲して開閉可能に肉厚を薄く形成する。
７はケーブル外装であり、二重被覆のケーブル線の外側の絶縁被覆。８は電線端末であり、接続端子９に差し込み接続するために被覆をはぎ取った裸電線の先端部分。
【００１１】
次に両端形の例を示す図７〜図１１について説明する。これらの図に示されるものにおいて、１３はボックス本体であり、主として２端部を有する両端形の場合に用いる方法で、両端部には図１０に示される軟質部２１又は図７〜１０に示される襞部２を設け、ジョィントする前に図８から明らかなように一方の電線端末８を、ボックス本体１３を通しておき結線後その結線部分９を収納空間４の中央部に引き込んで位置させ、襞部２又は軟質部２１を結束バンド６など結束部材で圧縮し又は結束する。１４は入口であり、電線ケーブルを通す口。１５はキャップ体であり、使用前に入口１４から異物が侵入したまま結線後も残留し、導電に支障を来すことのないよう使用前の過程を防護するもので、ボックス本体１３のような両端形の製品に限らず、様々の形状のボックスの入口１４に用いれば使用前の安全が保てる。１６−Ａは襞キャップであり、襞部２をなす単独のキャップで、ボックス本体１３の端部に差し込み固定する。１６−Ｂは底付キャップであり、１６−Ａと同様にボックス本体１３の端部に差し込み固定するもので、先端が底をなしているため、結線部分を一方の入口１４からのみ差し入れる場合は、底をなし塞いでいるため結束して閉じる手間が省け、両方から電線を入れる場合は、底の適当な部分を切除して用いることができる。１６−Ｃは底付き軟質部であり、その肉厚は収納空間４より一段と薄く、やわらかく、容易に圧縮可能で、先端部は底をなし、この部分にケーブル外装７の包皮無用の場合は閉口したまま用い、使用する場合はケーブル外装７の大きさ及び本数に適当する位置を切除すれば適当する大きさに口開する。
【００１２】
１７は鉤部であり、ボックス本体１３の端部外周に形成した鉤溝１８に入り抜け止まる。１９は接着溶着部であり、ボックス本体１３に差し込んだ面を接着又は溶着して固定する部分。２０は隙間であり、襞部２又は軟質部２１を圧縮した場合、ケーブル外装７に折り重なって包皮した間に複数の隙間２２ができ、これから熱気が順次発散し、密封状態による高温化の障害を防止する。２１は軟質部であり、ボックス本体１３の入口１４から一定の奥部に設けたやわらかい圧縮部分で、ボックス本体１３より肉厚が薄く圧縮が容易で、皺２２ができケーブル外装７を重複して包皮し、その間にできる複数の隙間２０が、収納空間４に溜る熱気を順次発散させる。２３は結束孔であり、軟質部２１の表裏に共通する孔を横一線に２ヵ所並設し、ケーブル外装７を挾み結束バンド６などを通して結束する。必要な場合は造営材と一括して結束固定することができる。
【００１３】
襞部底付キャップ１６−Ｂは襞部２の外、軟質部２１を成型してもよく、底付軟質部１６−Ｃは軟質部２１の外、襞部２を成型することができ、何れも入口１４を塞いだ状態に成型しておき、ケーブル外装７を通す場合に限り底部を輪切りなどにしてケーブル外装７を通し圧縮包皮し又は結束することができる。
図１におけるボックスのＡ−Ａ位置の筒状の断面形状は、円形に限らず、角形、半円形、楕円形等任意の形状に成型してもよい。
【００１４】
幹線のジョイント部分を絶縁カバーする場合に用いる収納空間４を取り巻くボックスの本体部分全周の肉厚は、外部からの衝撃に充分耐え得るよう部厚く成型するとよい。各々の軟質部２１又は襞部２は結束バンドなどで圧縮し又は結束するだけの簡単な作業で完了し、その省手間及び再使用による経済的効果抜群である。
一旦結線した後圧縮及び結束部材を解けば、結線の修復、追加、撤去作業が容易でありボックスは再使用ができる。
特に収納空間４の周囲全体を主に透明材にすると、結線状態が外部から目視点検ができるため点検時の解体無用である。
ボックスを分割して組み合わせるようにすれば、分岐結線の形状に合わせた様々の形状の成型が可能であり、ボックスに結線部分を折り曲げるなど無理に押し込むことなく安全である。
【００１５】
結線作業上、何れかの入口１４が無用の場合は、襞部２又は軟質部２１を完全に圧縮し結束して閉じ底部となしておくか、又は１６−Ｂ・１６−Ｃの形状に構成した製品を用いれば、ケーブル外装７を通して圧縮包皮する個所に限り先方を切除して口開し、入口１４無用の個所はそのままにしておけば、異物の侵入を阻止しでき安全である。
収納空間４に溜る熱気は、軟質部２１が圧縮されてできる皺２２及び襞部２が圧縮され折り重なってできる隙間、又は結束孔２３・２３に結束バンド６を通し軟質部２１と共にケーブル外装７を結束し両脇にできる隙間２０から空気が流通し、収納空間４内に熱気が溜ること無く、ジョイント部分の高温化を防ぐ。
【００１６】
【発明の効果】
以上のように本願発明にあっては、ジョイントボックスBは、内部に接続端子９を収納する収納空間４が形成されるように周囲を絶縁性の樹脂材によって筒状に形成し、かつ、両側には夫々収納空間４に向けてケーブル外装７の挿通を可能にする口を備えるボックス本体と、ボックス本体の両側に一体に備えさせた軟質部２１又は襞部２とから構成されており、上記軟質部又は襞部の夫々の端部には、夫々ボックス本体における口を通して収納空間４に向けてケーブル外装７の挿通を可能に、上記収納空間４に通じる入口１４を備えさせ、上記軟質部又は襞部の構成は、上記ボックス本体の収納空間４に対して、上記ボックス本体の両側に備える軟質部又は襞部の夫々の入口１４を通して両側から挿入された電線のジョイント部分の収納後、軟質部又は襞部の外周を圧縮することにより、収納空間４と入口１４との間の通路を圧縮させて抜け止めできるようにしてあるから、接続端子９は、ボックス本体における収納空間４に収納して安全に管理することができ、収納空間４に接続端子９を納めた後は、ボックス本体の両側の出入口に存在する軟質部２１又は襞部２を圧縮するという極めて簡易な操作でもって、全体を一体化させ、安定保持できる効果がある。
【００１７】
更に本願発明にあっては、内部に接続端子９を収納する収納空間４が形成されるように周囲を絶縁性の樹脂材によって筒状に形成したボックス本体における周壁の一部は、開閉自在の分割ボックス要素１−Ａで構成したことにより、図４から明らかなように、複数の電線端末８、８を接続端子９を用いて接続した場合においても、接続後において、それらを収納空間４に納めて安全に保護することのできる作業上まことに都合のよい効果がある。
【００１８】
その上本願発明にあっては、軟質部２１又は襞部２において、ケーブル外装を挿通し、軟質部又は襞部の外周を圧縮することによってもその内側に隙間が生じ、その隙間から空気が流通して収納空間に溜った熱気を徐々に発散させるようにすることにより、ジョイント部分の高温化を防ぐようにすることもできる効果がある。
【図面の簡単な説明】
【図１】図４に示される分割ボックス要素１−Ｂに分割ボックス要素１−Ａを被せ、内部に電線端末８、接続端子９等を収めた使用状態を示す平面図。
【図２】図４の入口１４から襞部２の形状を示す一部底面拡大図。
【図３】図１におけるケーブル外装７の結束状態及び隙間２０を示す矢印Ｃからの底面拡大図。
【図４】ジョイントボックスにおける分割ボックス要素１−Ａを分離した分割ボックス要素１−Ｂの平面図。
【図５】分割ボックス要素１−Ａと分割ボックス要素１−Ｂを組み合わせ、それらの部材を透視した状態を示す図１のＡ−Ａ位置切断端面拡大図。
【図６】図５に示される分割ボックス要素１−Ａ・１−Ｂの組み合わせ縁部３の一方を連結屈曲部１２で繋ぎ、分割ボックス要素１−Ａを開閉自在にした、収納空間４の切断端面拡大図。
【図７】ボックス本体１３の両側に襞部２を成型した両端形の入口１４にキャップ体１５をかぶせた正面図。
【図８】ボックス本体１３の端部に襞キャップ１６−Ａと底付キャップ１６−Ｂを組み合わせて一体とし、これに電線接続部を包皮固定した状態を示す断面図。
【図９】分割ボックス要素１−Ａ・１−Ｂの一端に底付軟質部１６−Ｃを成型し、他端には入口１４を設けた展開状態の平面図。
【図１０】ボックス本体１３に真っ直のジョイント部分を収納し、両端に軟質部２１を設け、その一端を結束バンドで圧縮包皮した状態を示す正面図。
【図１１】ボックス本体１３の軟質部２１に表裏共通する結束孔２３・２３を並設した状態を示す一部正面図。
【符号の説明】
矢印Ｂ ジョイントボックス
矢印Ｃ 結束状態を示す底面
１−Ａ 分割ボックス要素
１−Ｂ 分割ボックス要素
２ 襞部
３ 組み合わせ縁部
４ 収納空間
５ 止め孔
６ 結束バンド
７ ケーブル外装
８ 電線端末
９ 接続端子
１０ 突起
１１ 止め溝
１２ 連結屈曲部
１３ ボックス本体
１４ 入口
１５ キャップ体
１６−Ａ 襞キャップ
１６−Ｂ 襞部底付キャップ
１６−Ｃ 底付軟質部
１７ 鉤部
１８ 鉤溝
１９ 接着溶着部分
２０ 隙間
２１ 軟質部
２２ 皺
２３ 結束孔